(57)【要約】【課題】コンパクトでありながらも、剛性が高く高速でフォーカシング動作を行うことができる、高密度光ディスク対応の光ピックアップ装置及びそれに用いるホルダを提供する。【解決手段】Ｄ＜Ｗ２という関係が成立するので、光学素子ＯＥを本発明の一例であるホルダＨＬの筐体内に納めることができ、従って、ホルダＨＬが最も立ち上げミラーＭ側に変位した状態で、光学素子ＯＥの光軸直交方向に見たときに、光学素子ＯＥとホルダＨＬのコイルとは、少なくとも部分的に重なり合う位置に配置されているので、光ピックアップ装置の厚み方向の寸法を小さく抑えることができる。【選択図】図２
2008299888.tif 000002
【特許請求の範囲】
【請求項１】
光源側から入射した光束を立ち上げミラーで反射させ、対物レンズを介して光ディスクに集光させる光ピックアップ装置であって、
コイルを取り付け、前記対物レンズを保持しながら変位する可動のホルダと、
前記立ち上げミラーと前記対物レンズとの間に配置された光学素子を含む光学ユニットとを有し、
前記ホルダは、前記対物レンズの光軸方向に延在する部位を少なくとも２つ有し、前記ホルダが最も前記立ち上げミラー側に変位した状態で、前記光学ユニットの少なくとも一部は前記部位間に配置されることを特徴とする光ピックアップ装置。
【請求項２】
前記部位は、前記光学素子の光軸を挟んで対称的に配置されていることを特徴とする請求項１に記載の光ピックアップ装置。
【請求項３】
前記ホルダに取り付けられたコイルは、前記光学素子の光軸を挟んで対称的に配置されていることを特徴とする請求項１又は２に記載の光ピックアップ装置。
【請求項４】
光源側から入射した光束を立ち上げミラーで反射させ、対物レンズを介して光ディスクに集光させる光ピックアップ装置であって、
コイルを取り付け、前記対物レンズを保持しながら変位する可動のホルダと、
前記立ち上げミラーと前記対物レンズとの間に配置された光学素子を含む光学ユニットとを有し、
前記ホルダにコイルが取り付けられており、与えられた磁界中で前記コイルは前記光学素子の光軸を挟んで対称的に配置されており、前記ホルダが最も前記立ち上げミラー側に変位した状態で、前記光学素子の光軸直交方向に見たときに、前記光学ユニットと前記部位とは、少なくとも部分的に重なり合う位置に配置されることを特徴とする光ピックアップ装置。
【請求項５】
光源側から入射した光束を立ち上げミラーで反射させ、対物レンズを介して光ディスクに集光させる光ピックアップ装置であって、
コイルを取り付け、前記対物レンズを保持しながら変位する可動のホルダと、
前記立ち上げミラーと前記対物レンズとの間に配置された光学素子を含む光学ユニットとを有し、
前記ホルダが最も前記立ち上げミラー側に変位した状態で、前記光学素子の光軸直交方向に見たときに、前記光学ユニットと前記ホルダに取り付けられたコイルとは、少なくとも部分的に重なり合う位置に配置されることを特徴とする光ピックアップ装置。
【請求項６】
前記コイルは、前記光学素子の光軸を挟んで対称的に配置されていることを特徴とする請求項５に記載の光ピックアップ装置。
【請求項７】
光源側から入射した光束を立ち上げミラーで反射させ、対物レンズを介して光ディスクに集光させる光ピックアップ装置であって、
前記対物レンズを挟んで２つのコイルを取り付け、前記対物レンズを保持しながら変位する可動のホルダと、
前記立ち上げミラーと前記対物レンズとの間に配置された光学素子を含む光学ユニットとを有し、
前記ホルダが最も前記立ち上げミラー側に変位した状態で、前記光学素子の光軸直交方向に見たときに、前記光学ユニットと前記コイル又は前記ホルダとは、少なくとも部分的に重なり合う位置に配置されることを特徴とする光ピックアップ装置。
【請求項８】
前記光学素子はコリメータであることを特徴とする請求項１〜７のいずれかに記載の光ピックアップ装置。
【請求項９】
前記ホルダは、前記光学素子の光軸方向と光軸に直交する第１の方向に変位可能となっており、前記光学ユニットの少なくとも一部を収容する空間を有し、前記空間は、前記光軸と前記第１の方向とに直交する第２の方向の寸法が、前記第１の方向の寸法より小さいことを特徴とする請求項１〜８のいずれかに記載の光ピックアップ装置。
【請求項１０】
前記空間における前記光学素子の光軸直交方向の寸法は、前記光学素子の外径より大きいことを特徴とする請求項９に記載の光ピックアップ装置。
【請求項１１】
前記光学素子は、前記第１の方向の寸法よりも、前記第２の方向の寸法の方が小さいことを特徴とする請求項９又は１０に記載の光ピックアップ装置。
【請求項１２】
前記光学素子は、前記第２の方向においてカットされた部位を有することを特徴とする請求項１１に記載の光ピックアップ装置。
【請求項１３】
前記ホルダの側壁に少なくとも１つの切欠又は穴を設けたことを特徴とする請求項１〜１２のいずれかに記載の光ピックアップ装置。
【請求項１４】
請求項１〜１３のいずれかに記載の光ピックアップ装置に用いるホルダであって、前記光学素子の光軸方向と光軸に直交する第１の方向に変位可能となっており、前記光学ユニットの少なくとも一部を収容する空間を有し、前記空間は、前記光軸と前記第１の方向とに直交する第２の方向の寸法が、前記第１の方向の寸法より小さいことを特徴とするホルダ。
【請求項１５】
前記空間における前記光学素子の光軸直交方向の寸法は、前記光学素子の外径より大きいことを特徴とする請求項１４に記載のホルダ。
【請求項１６】
前記光学素子は、前記第１の方向の寸法よりも、前記第２の方向の寸法の方が小さいことを特徴とする請求項１４又は１５に記載のホルダ。
【請求項１７】
前記光学素子は、前記第２の方向においてカットされた部位を有することを特徴とする請求項１６に記載のホルダ。
【請求項１８】
前記ホルダの側壁に少なくとも１つの切欠又は穴を設けたことを特徴とする請求項１４〜１７のいずれかに記載のホルダ。
【発明の詳細な説明】
【技術分野】
【０００１】
本発明は、光ピックアップ装置及びホルダに関し、特に、高密度光ディスクに対して情報の記録及び／又は再生を行うことができ、コンパクトな構成を有する光ピックアップ装置及びそれに用いるホルダに関する。
【背景技術】
【０００２】
ＣＤやＤＶＤに代表される光ディスクに対して、情報の記録及び／又は再生を行える光ピックアップ装置が開発されている。また、波長４００ｎｍ程度の青紫色半導体レーザを用いて、Ｂｌｕ−ｒａｙ  Ｄｉｓｃ（登録商標）やＨＤ  ＤＶＤなどの高密度光ディスクに情報の記録及び／又は再生を行える光ピックアップ装置の開発も急速に進んでいる。ここで、光ピックアップ装置における、集光スポットを形成する対物レンズにおいては、情報の記録及び／又は再生時に、光ディスクの情報記録面に集光スポットを適切に結像させるためのフォーカシング動作と、光ディスクのトラックに適切に追従するトラッキング動作とが必要となっている。そこで、特許文献１に示すように、対物レンズをフォーカシング、トラッキング制御するために、光ピックアップ装置に小型のアクチュエータを設けている。
【特許文献１】特開２００２−７４７３３号公報
【特許文献２】特許第３０８３０６８号明細書
【発明の開示】
【発明が解決しようとする課題】
【０００３】
ところで、高密度光ディスクに対して情報の記録及び／又は再生を行う場合、４００ｎｍ前後の光束を出射する半導体レーザを用いることが多いが、上市されている半導体レーザは、出射光束の波長が基準波長に対して大きくばらつくという問題がある。出射光束の波長が基準波長に対して大きくシフトすると、光ディスクの情報記録面において球面収差が発生し、記録／再生エラーを招く恐れがある。このような波長のバラツキに対して、例えば光ピックアップ装置の組み付け時に、半導体レーザから出射された光束の発散角を変換して対物レンズに入射させるコリメータの光軸方向位置を変更し、光ディスクの情報記録面における球面収差の量を許容範囲に収めることが考えられる。又、光ピックアップ装置は、様々な光学素子を搭載しているが、それらの光学素子（特に対物レンズ）の球面収差のバラツキを抑えるために、コリメータの光軸方向位置を調整することも考えられる。
【０００４】
ここで、コリメータを光ピックアップ装置に設ける場合、対物レンズの近傍に配置すると、半導体レーザから光ディスクまでの光路長が短縮され、コンパクトなレイアウトになる。しかるに、ノート型パソコン等に搭載される、いわゆるスリムタイプの光ピックアップ装置において、厚み方向の制約があるので、半導体レーザからの光束を立ち上げミラーで折り曲げて、対物レンズに入射させている。従って、短波長の光束を出射する半導体レーザを用いたスリムタイプの光ピックアップ装置のような場合、立ち上げミラーと対物レンズとの間にコリメータを効率よく配置することが望まれている。
【０００５】
しかるに、かかる構成では、フォーカシング制御のために、ホルダにより保持した対物レンズを光軸方向に変位させると、ホルダとコリメータとが干渉する恐れがある。これに対し、特許文献２には、対物レンズを片持ち状に保持して光軸方向に変位させる光ピックアップ装置が開示されている。しかしながら、特許文献２に開示されたホルダは剛性が低く、高速でフォーカシング動作を行えないという問題がある。
【０００６】
本発明は、かかる問題点に鑑みて成されたものであり、コンパクトでありながらも、剛性が高く高速でフォーカシング動作を行うことができる、高密度光ディスク対応の光ピックアップ装置及びそれに用いるホルダを提供することを目的とする。
【課題を解決するための手段】
【０００７】
請求項１に記載の光ピックアップ装置は、光源側から入射した光束を立ち上げミラーで反射させ、対物レンズを介して光ディスクに集光させる光ピックアップ装置であって、
コイルを取り付け、前記対物レンズを保持しながら変位する可動のホルダと、
前記立ち上げミラーと前記対物レンズとの間に配置された光学素子を含む光学ユニットとを有し、
前記ホルダは、前記対物レンズの光軸方向に延在する部位を少なくとも２つ有し、前記ホルダが最も前記立ち上げミラー側に変位した状態で、前記光学ユニットの少なくとも一部は前記部位間に配置されることを特徴とする。
【０００８】
本発明の原理を図面を参照して説明する。ここでは対物レンズの光軸方向に延在する部位を側壁として説明を行うが、対物レンズの光軸方向に延在する部位は、穴のあいた側壁や、柱部なども含むものである。図１は、比較例にかかる対物レンズＯＢＪを保持するホルダＨＬ’と、光学ユニットを構成する光学素子ＯＥとの関係を示す図であり、図２は、本発明の一例にかかる対物レンズＯＢＪを保持するホルダＨＬと、光学ユニットを構成する光学素子ＯＥとの関係を示す図である。
【０００９】
図１、２において、ホルダＨＬ’、ＨＬは、底面を排除した筐体状であって、対向する側壁ＨＬｗの外部にコイルＣＬ、ＣＬを取り付けている。光学素子ＯＥは、対物レンズＯＢＪと立ち上げミラーＭとの間に配置されている。図１に示す比較例における筐体内部の幅をＷ１とし、図２に示す本発明の一例における筐体内部の幅をＷ２としたときに、光学素子ＯＥの外径をＤとすると、Ｗ１＜Ｄ＜Ｗ２という関係が成立する。
【００１０】
即ち、比較例においては、Ｗ１＜Ｄという関係が成立するので、光学素子ＯＥをホルダＨＬ’の筐体内に納めることができないから、ホルダＨＬ’が最も立ち上げミラーＭ側に変位した状態で、ホルダＨＬ’と光学素子ＯＥとが光軸方向に隙間を空けて配置しなくてはならず、それにより光ピックアップ装置において厚み方向の寸法が大きくなってしまう。
【００１１】
これに対し、本発明においては、Ｄ＜Ｗ２という関係が成立するので、光学素子ＯＥを本発明の一例であるホルダＨＬの筐体内に納めることができる。従って、ホルダＨＬが最も立ち上げミラーＭ側に変位した状態で、光学素子ＯＥの光軸直交方向に見たときに、光学素子ＯＥの少なくとも一部がコイルＣＬが取り付けられた側壁ＨＬｗ間に配置されるようになり、光ピックアップ装置の厚み方向の寸法を小さく抑えることができる。又、ホルダＨＬに一対の側壁ＨＬｗを設けることで剛性を高めることができ、十分な高次共振性能を得ることができる。
【００１２】
尚、図２においては説明を簡略化するために、光学素子ＯＥの単体を、ホルダＨＬ内に収容可能とする例を示したが、図３に示すように、一般的に光学素子ＯＥは、保持部材ＨＭ等によって保持されてなる光学ユニットを構成していることが多い。従って、光学素子ＯＥが保持部材ＨＭにより保持されている場合などは、保持部材ＨＭを含めた上で、ホルダＨＬ内に収容される部位の寸法Ｓが、ホルダＨＬの筐体内部の幅Ｗ２より小さくなるように設定することが好ましい。ここで、「光学素子」には、コリメータ、エキスパンダ、波長板、液晶素子、ホログラム素子、回折素子、複合素子などが含まれる。
【００１３】
請求項２に記載の光ピックアップ装置は、請求項１に記載の発明において、前記部位は、前記光学素子の光軸を挟んで対称的に配置されている。
【００１４】
請求項３に記載の光ピックアップ装置は、請求項１又は２に記載の発明において、前記ホルダに取り付けられたコイルは、前記光学素子の光軸を挟んで対称的に配置されていることを特徴とするので、コイルに発生する磁力により、前記ホルダを介してバランス良く前記対物レンズを駆動することが出来る。特に、前記ホルダの駆動コイルを対称配置とすると、非対称配置である場合に比べて剛性を高くできるから、アクチュエータの高次共振性能が良好になり、高倍速の記録／再生等で必要な広帯域制御が可能になる。
【００１５】
請求項４に記載の光ピックアップ装置は、光源側から入射した光束を立ち上げミラーで反射させ、対物レンズを介して光ディスクに集光させる光ピックアップ装置であって、
コイルを取り付け、前記対物レンズを保持しながら変位する可動のホルダと、
前記立ち上げミラーと前記対物レンズとの間に配置された光学素子を含む光学ユニットとを有し、
前記ホルダにコイルが取り付けられており、与えられた磁界中で前記コイルは前記光学素子の光軸を挟んで対称的に配置されており、前記ホルダが最も前記立ち上げミラー側に変位した状態で、前記光学素子の光軸直交方向に見たときに、前記光学ユニットと前記部位とは、少なくとも部分的に重なり合う位置に配置されることを特徴とする。
【００１６】
例えば、一対のコイルを、それぞれ２つの磁石に対向させて前記ホルダに取り付け前記光学素子の光軸を挟んで対称的に配置したり、或いは単一のコイルを、２つの磁石の間で前記ホルダを取り巻くように前記光学素子の光軸を挟んで対称的に配置した場合、かかる磁石により与えられる磁界中で前記コイルは、前記ホルダを動かす推力を発生することとなる。このように、前記コイルを前記光学素子の光軸を挟んで対称的に配置すれば、前記ホルダを動かす際にバランスが向上し、高次共振性能を向上できる。更に、図２を参照して、ホルダＨＬが最も立ち上げミラーＭ側に変位した状態で、光学素子ＯＥの光軸直交方向に見たときに、光学素子ＯＥとホルダＨＬの側壁ＨＬｗ（対物レンズＯＢＪの光軸方向に延在する部位の一例）とは、少なくとも部分的に重なり合う位置に配置されるようになるので、光ピックアップ装置の厚み方向の寸法を小さく抑えることができる。  
【００１７】
請求項５に記載の光ピックアップ装置は、光源側から入射した光束を立ち上げミラーで反射させ、対物レンズを介して光ディスクに集光させる光ピックアップ装置であって、
コイルを取り付け、前記対物レンズを保持しながら変位する可動のホルダと、
前記立ち上げミラーと前記対物レンズとの間に配置された光学素子を含む光学ユニットとを有し、
前記ホルダが最も前記立ち上げミラー側に変位した状態で、前記光学素子の光軸直交方向に見たときに、前記光学ユニットと前記ホルダに取り付けられたコイルとは、少なくとも部分的に重なり合う位置に配置されることを特徴とする。
【００１８】
本発明によれば、図２を参照して、ホルダＨＬが最も立ち上げミラーＭ側に変位した状態で、光学素子ＯＥの光軸直交方向に見たときに、光学素子ＯＥとホルダＨＬのコイルＣＬとは、少なくとも部分的に重なり合う位置に配置されるようになるので、光ピックアップ装置の厚み方向の寸法を小さく抑えることができる。
【００１９】
請求項６に記載の光ピックアップ装置は、請求項５に記載の発明において、前記コイルは、前記光学素子の光軸を挟んで対称的に配置されていることを特徴とするので、コイルに発生する磁力により、前記ホルダを介してバランス良く前記対物レンズを駆動することが出来る。特に、前記ホルダの駆動コイルを対称配置とすると、非対称配置である場合に比べて剛性を高くできるから、アクチュエータの高次共振特性を向上させることができる。
【００２０】
請求項７に記載の光ピックアップ装置は、光源側から入射した光束を立ち上げミラーで反射させ、対物レンズを介して光ディスクに集光させる光ピックアップ装置であって、
前記対物レンズを挟んで２つのコイルを取り付け、前記対物レンズを保持しながら変位する可動のホルダと、
前記立ち上げミラーと前記対物レンズとの間に配置された光学素子を含む光学ユニットとを有し、
前記ホルダが最も前記立ち上げミラー側に変位した状態で、前記光学素子の光軸直交方向に見たときに、前記光学ユニットと前記コイル又は前記ホルダとは、少なくとも部分的に重なり合う位置に配置されることを特徴とする。
【００２１】
本発明によれば、図２を参照して、ホルダＨＬが最も立ち上げミラーＭ側に変位した状態で、光学素子ＯＥの光軸直交方向に見たときに、光学素子ＯＥと、前記対物レンズを挟んで配置されたコイルＣＬ又はホルダＨＬとは、少なくとも部分的に重なり合う位置に配置されるようになるので、光ピックアップ装置の厚み方向の寸法を小さく抑えることができる。
【００２２】
請求項８に記載の光ピックアップ装置は、請求項１〜７のいずれかに記載の発明において、前記光学素子はコリメータであることを特徴とするので、前記対物レンズに対して前記コリメータを極力近づけることで、光路長が短縮され、コンパクトな光ピックアップ装置を提供できる。
【００２３】
請求項９に記載の光ピックアップ装置は、請求項１〜８のいずれかに記載の発明において、前記ホルダは、前記光学素子の光軸方向と光軸に直交する第１の方向に変位可能となっており、前記光学ユニットの少なくとも一部を収容する空間を有し、前記空間は、前記光軸と前記第１の方向とに直交する第２の方向の寸法が、前記第１の方向の寸法より小さいことを特徴とする。
【００２４】
請求項１０に記載の光ピックアップ装置は、請求項９に記載の発明において、前記空間における前記光学素子の光軸直交方向の寸法は、前記光学素子の外径より大きいことを特徴とする。
【００２５】
請求項１１に記載の光ピックアップ装置は、請求項９又は１０に記載の発明において、前記光学素子は、前記第１の方向の寸法よりも、前記第２の方向の寸法の方が小さいことを特徴とする。
【００２６】
図４は、本発明の一例にかかるホルダＨＬを、立ち上げミラー側から見た図である。図４において、点線で対物レンズＯＢＪを示しており、その光軸は紙面に垂直方向に延在する。ホルダＨＬの筐体内部の空間は、図４で左右方向である第１の方向の寸法Ｗ２よりも、図４で上下方向である第２の方向の寸法Ｗ２’の方が小さくなっている。又、光学素子ＯＥの外周は、平行な２面で削ぎ落とされたような平坦部ＯＥ１を有している。よって、光学素子ＯＥの外径Ｄが、寸法Ｗ２’より大きい（Ｄ＞Ｗ２’）場合でも、平坦部ＯＥ１を第２の方向に向けることで、光学ユニットの一部としての光学素子ＯＥを、ホルダＨＬの空間内に収容できることとなる。対物レンズのトラッキング方向を寸法Ｗ２の方向（図４で左右方向）とすれば、ホルダＨＬ内の寸法Ｗ１は、光学素子ＯＥの外形に対してわずかな隙間を与えるのみで、両者の干渉を抑制できるので、これによりホルダＨＬのコンパクト化を実現できる。
【００２７】
請求項１２に記載の光ピックアップ装置は、請求項１１に記載の発明において、前記光学素子は、前記第２の方向においてカットされた部位を有することを特徴とするので、前記ホルダと前記光学素子との干渉を抑制できる。尚、ここで、カットとは、光学素子の光軸を挟んで平行な２平面で外形状をカットするＩカットや、光軸に平行な平面で外形状をカットするＤカットなどを含む。
【００２８】
請求項１３に記載の光ピックアップ装置は、請求項１〜１２のいずれかに記載の発明において、前記ホルダの側壁に少なくとも１つの切欠又は穴を設けたことを特徴とするので、前記切欠又は穴から前記コリメータ調整用の治具や検査用の光束等を通過させることができる。
【００２９】
請求項１４に記載のホルダは、請求項１〜１３のいずれかに記載の光ピックアップ装置に用いるホルダであって、前記光学素子の光軸方向と光軸に直交する第１の方向に変位可能となっており、前記光学ユニットの少なくとも一部を収容する空間を有し、前記空間は、前記光軸と前記第１の方向とに直交する第２の方向の寸法が、前記第１の方向の寸法より小さいことを特徴とする。
【００３０】
請求項１５に記載のホルダは、請求項１４に記載の発明において、前記空間は、前記光学素子の外径より大きいことを特徴とする。
【００３１】
請求項１６に記載のホルダは、請求項１４又は１５に記載の発明において、前記光学素子は、前記第１の方向の寸法よりも、前記第２の方向の寸法の方が小さいことを特徴とする。
【００３２】
請求項１７に記載のホルダは、請求項１６に記載の発明において、前記光学素子は、前記第２の方向においてカットされた部位を有することを特徴とする。
【００３３】
請求項１８に記載のホルダは、請求項１４〜１７のいずれかに記載の発明において、前記ホルダの側壁に少なくとも１つの切欠又は穴を設けたことを特徴とする。
【発明の効果】
【００３４】
本発明によれば、コンパクトでありながらも、剛性が高く高速でフォーカシング動作を行うことができる、高密度光ディスク対応の光ピックアップ装置及びそれに用いるホルダを提供することができる。
【発明を実施するための最良の形態】
【００３５】
以下、図面を参照して、本発明の実施の形態をさらに詳細に説明する。図５は、本実施の形態にかかるレンズ駆動装置ＡＣＴを含む光ピックアップ装置の斜視図である。レンズ駆動装置ＡＣＴにおいて、ヨークを兼ねた板状のベース１は、不図示のハウジングに固定される。ベース１上には、筐体２が固定されている。筐体２の図で手前側には、基板３が取り付けられている。基板３には、片側で３本ずつ、合計６本のワイヤ４の一端が固定されており、各側のワイヤ４は、上下方向に等間隔で平行に並べられ且つベース１に沿って延在している。ワイヤ４の他端は、ホルダ５の側面に取り付けられた固定具１４にハンダ付けされている。ワイヤ４は、ベース１に対してホルダ５を移動可能に支持する機能と、不図示の配線が接続される基板３から、コイルに対して給電するための機能とを有する。なお、筐体２内には、ワイヤ４のダンピング効果のあるジェル（不図示）が充填されている。
【００３６】
ベース１に対して可動となっている樹脂製のホルダ５は、図５に示すようにバランスに優れた略十字形であり、中央の円形開口（不図示）内に対物レンズ６を装着している。この対物レンズ６は、光ピックアップ装置において、光ディスクの情報記録面にレーザ光束を集光するために用いられる。又、ホルダ５は、両側に２つの矩形開口５ａ（手前側のみ図示）を形成している。
【００３７】
手前側の矩形開口５ａ内には、Ｌ字状の板を背中合わせにしたヨーク７Ａ、８Ａが上方より延在している。矩形開口５ａ内には、ヨーク７Ａ，８Ａの周囲を巻回するようにして第１コイル群Ｇ１が配置されている。第１コイル群Ｇ１に対し、矩形開口５ａを隔てて手前側には磁石１０Ａが配置され、奥側には磁石１０Ｂが配置されている。磁石１０Ａはヨーク７Ｂに裏打ちされ、磁石１０Ｂはヨーク８Ｂに裏打ちされている。ヨーク７Ｂ、８Ｂはベース１の一部であり、ヨーク７Ｂの上端にはヨーク７Ａの端部が連結され、ヨーク８Ｂの上端にはヨーク８Ａの端部が連結されている。第１コイル群Ｇ１と磁石１０Ａ及び１０Ｂとの間には、第１コイル群Ｇ１と巻軸線が直交するように巻かれたトラッキングコイル１１Ａ、１１Ｂが配置されている。
【００３８】
一方、矩形開口５ａに対し対物レンズ６を挟んで奥側の矩形開口内には、Ｌ字状の板を背中合わせにしたヨーク７Ｃ、８Ｃが上方より延在している。矩形開口内には、ヨーク７Ｃ，８Ｃの周囲を巻回するようにして第２コイル群Ｇ２が配置されている。第２コイル群Ｇ２に対し、矩形開口を隔てて手前側には磁石１０Ｃが配置され、奥側には磁石１０Ｄが配置されている。磁石１０Ｃはヨーク７Ｃに裏打ちされ、磁石１０Ｄはヨーク８Ｄに裏打ちされている。ヨーク７Ｄ、８Ｄはベース１の一部であり、ヨーク７Ｄの上端にはヨーク７Ｃの端部が連結され、ヨーク８Ｄの上端にはヨーク８Ｃの端部が連結されている。第２コイル群Ｇ２と磁石１０Ｃ及び１０Ｄとの間には、第２コイル群Ｇ２と巻軸線が直交するように巻かれたトラッキングコイル（図５で不図示、図６の１１Ｄ）が配置されている。
【００３９】
図６は、本実施の形態にかかるレンズ駆動装置ＡＣＴにおけるホルダ周辺を、光源側から見た図である。中空筐体状のホルダ５は、４つの側面５ｆ（内部が見えるよう手前側の側面は切り欠いて図示）と、側面５ｆに接続され対物レンズ６を保持する頂面５ｇとを有する。図６で左右方向に対向する側壁５ｆには、トラッキングコイル１１Ａ、１１Ｂを保持する保持部５ｄと、トラッキングコイル１１Ｃ、１１Ｄを保持する保持部５ｅとが接続されている。
【００４０】
ホルダ５は、対物レンズ６の光軸方向に見たときに、図４に示すホルダと同様な形状を有している。フォーカシング動作時においてホルダ５が最も立ち上げミラー１５側に変位したときに、対物レンズ６と立ち上げミラー１５との間に配置されたコリメータ１６は、ホルダ５の保持部５ｄ、５ｅの間に位置し、即ちホルダ５内に収容されるようになっている。尚、図示は省略するが、コリメータ１６は、不図示の保持部材により保持されており、組み付け時に光軸方向に変位可能に調整できるようになっている。但し、その位置は、フォーカシング動作により対物レンズ６のが最も下方に移動しても、コリメータ１６と干渉しない位置とする。
【００４１】
次に、本実施の形態にかかるレンズ駆動装置ＡＣＴを含む光ピックアップ装置の動作について説明する。ここでは、第１コイル群Ｇ１と第２コイル群Ｇ２は、それぞれ外側コイルと内側コイルとを２層に有しているものとする。但し、コイルは一層だけでも良い。
【００４２】
図５において、光源である半導体レーザＬＤから出射された青紫色のレーザ光束は、偏光ビームスプリッタＰＢＳを通過し、λ／４波長板ＱＷＰを通過し、図６の立ち上げミラー１５で反射され，コリメータ１６、対物レンズ６を介して、不図示の光ディスクの情報記録面に集光される。情報記録面から反射した光束は、対物レンズ６，コリメータ１６を通過し、立ち上げミラー１５で反射され、λ／４波長板ＱＷＰを通過し、偏光ビームスプリッタＰＢＳで反射され、光検出器ＰＤに入射するので、その出力信号を用いて、光ディスクに対して情報の記録及び／又は再生を行うことができる。
【００４３】
ここで、光検出器ＰＤ上でのスポットの形状変化、位置変化による光量変化を検出して、合焦検出やトラック検出を行う。この検出に基づいて、半導体レーザＬＤからの光束を光ディスクの情報記録面上に結像するように、対物レンズＯＢＪを移動させるべく、レンズ駆動装置ＡＣＴを駆動する。レンズ駆動装置ＡＣＴの駆動は、ワイヤ４を介した給電によって行われる。
【００４４】
ワイヤ４を介して給電されたとき、第１のコイル群Ｇ１の外側コイルと第２のコイル群Ｇ２の外側コイルには、同じ電流値で同じ方向（ここでは時計回り）に電流が流れるため、フレミングの左手の法則により、２つのコイルには、図で上方に向かう磁力がそれぞれ生じる。従って、第１コイル群Ｇ１と第２コイル群Ｇ２が固定されたホルダ５は、図で上方に移動することなり、それにより対物レンズ６を光軸方向に移動させることでフォーカシング動作を実現することができる。なお、電流の向きを逆にすれば、ホルダ５は下方に移動するが、最も下方に移動しても、ホルダ５はコリメータ１６に干渉することはない。このとき、ホルダ５が下方側に過剰移動しないようにストッパを設けることができる。かかるストッパとしては、図示していないが、所定位置に移動したホルダ５に突き当たるような位置関係となるようにベース１をおいたり、又はベース１に、所定位置に移動したホルダ５に当たる突起を形成したり或いは別部材を設けたり、或いはホルダ５に設けた突起部をベース１に当接させるなど、種々の態様がある。
【００４５】
一方、第１のコイル群Ｇ１の内側コイルには、時計回りの方向に電流を流し、第２のコイル群Ｇ２の内側コイルには、反時計回りの方向に電流を流すと、フレミングの左手の法則により、一方の内側コイルには、図で上方に向かう磁力が生じ、他方の内側コイルには、図で下方に向かう磁力が生じる。従って、光軸の位置を中心としてホルダ５を傾けるモーメントが作用することとなる。これにより対物レンズ６を傾けるティルト動作を実現することができる。なお、電流の向きを逆にすれば、ホルダ５は逆側に傾く。チルト調整動作を外側コイルを用いて行い、フォーカシング動作を内側コイルを用いて行っても良い。
【００４６】
更に、トラッキングコイル１１Ａ〜１１Ｄに電流を流すことで、ホルダ５を対物レンズ６と共に、光軸に直交する方向に移動可能となっており、それによりトラッキング動作を行うことができる。
【００４７】
以上、本発明を実施の形態を参照して説明してきたが、本発明は上記実施の形態に限定して解釈されるべきではなく、適宜変更・改良が可能であることはもちろんである。例えば、ホルダの素材は樹脂に限らず、アルミニウム合金やマグネシウム合金等の金属を用いることもできる。例えば、フォーカスコイルを一層だけ設けるようにしても良い。更に、ホルダの側壁に切欠や穴を設け、この切欠や穴からコリメータ調整用の治具や検査用の光束等を通過させることもできる。又、図７、８に示すように、ホルダＨＬの周囲に単一のコイルＣＬを巻回して取り付け、２対の磁石ＭＧとヨークＹＫ間に配置した構成も本発明に含まれる。図７の構成において、磁石ＭＧとヨークＹＫ間で発生した磁界中でコイルＣＬに電流を流したとき、ホルダＨＬを駆動する推力は点ｐ１，ｐ２において紙面垂直方向に発生することとなる。一方、図８に示す構成において、磁石ＭＧとヨークＹＫ間で発生した磁界中でコイルＣＬに電流を流したとき、ホルダＨＬを駆動する推力は点ｐ１，ｐ２、ｐ３，ｐ４において紙面垂直方向に発生することとなる。
【図面の簡単な説明】
【００４８】
【図１】比較例にかかる対物レンズＯＢＪを保持するホルダＨＬと、光学ユニットを構成する光学素子ＯＥとの関係を示す図である。
【図２】本発明の一例にかかる対物レンズＯＢＪを保持するホルダＨＬと、光学ユニットを構成する光学素子ＯＥとの関係を示す図である。
【図３】本発明の別例にかかる対物レンズＯＢＪを保持するホルダＨＬと、光学ユニットとの関係を示す図である。
【図４】本発明の一例にかかるホルダＨＬを、立ち上げミラー側から見た図である。
【図５】本実施の形態にかかるレンズ駆動装置ＡＣＴを含む光ピックアップ装置の斜視図である。
【図６】本実施の形態にかかるレンズ駆動装置ＡＣＴにおけるホルダ周辺を、光源側から見た図である。
【図７】本発明の一例にかかるホルダＨＬを、立ち上げミラー側から見た図である。
【図８】本発明の一例にかかるホルダＨＬを、立ち上げミラー側から見た図である。
【符号の説明】
【００４９】
１ ベース
２ 筐体
４ ワイヤ
５ ホルダ
５ａ 矩形開口
５ｃ 切欠
５ｆ 側壁
５ｄ、５ｅ  保持部
６ 対物レンズ
７Ａ〜７Ｄ ヨーク
８Ａ〜８Ｄ ヨーク
１０Ａ〜１０Ｄ 磁石
１１Ａ〜１１Ｄ トラッキングコイル
１４ 固定具
ＡＣＴ  レンズ駆動装置
Ｇ１  第１コイル群
Ｇ２  第２コイル群
【図１】
2008299888.tif 000003
【図２】
2008299888.tif 000004
【図３】
2008299888.tif 000005
【図４】
2008299888.tif 000006
【図５】
2008299888.tif 000007
【図６】
2008299888.tif 000008
【図７】
2008299888.tif 000009
【図８】
2008299888.tif 000010